(57)【特許請求の範囲】
【請求項１】
ワイヤハーネスを挿通する筒状部と、該筒状部の外側に続き、パネルの孔部に嵌着する大径のカップ部とを備える弾性のグロメットにおいて、
前記パネルの一方の面側に位置する厚肉の裾部に、グロメット軸方向に延びる溝部が形成されたことを特徴とするグロメット。
【請求項２】
前記溝部が断面Ｖ字状に形成されたことを特徴とする請求項１記載のグロメット。
【請求項３】
前記カップ部が、前記筒状部に交差して縮径方向の可撓性を有する前側の封止壁と、後側の前記裾部とを備え、該パネルの孔部に該カップ部を該裾部側から挿入する際に、前記溝部と該封止壁とによって該カップ部が縮径されることを特徴とする請求項１又は２記載のグロメット。
【請求項４】
前記封止壁が断面略Ｓ字状に屈曲形成されたことを特徴とする請求項３記載のグロメット。
【請求項５】
前記封止壁に続く前記カップ部の肩部の内周面側が湾曲状に肉抜きされたことを特徴とする請求項３又は４記載のグロメット。
【発明の詳細な説明】
【０００１】
【発明の属する技術分野】
本発明は、ワイヤハーネスをパネルの孔部に挿通する際に使用される防水用の弾性のグロメットに係り、パネルの孔部にカップ部の後部側から容易に挿入し得るようにしたものである。
【０００２】
【従来の技術】
図３は従来のグロメットの一例を示すものである。
このグロメット３１は合成ゴムで形成され、車両のパネル１３の円形の孔部１４に嵌合するカップ部３２と、カップ部３２を貫通して形成された筒状部３３と、筒状部３３に続き、カップ部３２の内側に反転して収容された防音膜３４とを備えている。筒状部３３にはワイヤハーネス２６が挿通固定され、カップ部３２はパネル１３の孔部１４を塞いで、パネル１３の外側から内側への水や塵の侵入を防止する。
【０００３】
カップ部３２は厚肉の周壁３５と、筒状部３３に直交するやや薄肉の封止壁３６とで構成され、周壁３５の外周に、パネル１３に対する嵌着溝３７が設けられ、周壁３５の後端から外向きに鍔状のシールリップ３８が突出形成されている。本明細書ではカップ部３１の開口３９側を後部側と定義する。
【０００４】
周壁３５は封止壁３６側から嵌着溝３７にかけて略テーパ状に肉厚を増し、嵌着溝３７からシールリップ３８にかけては真直な厚肉の裾部４０となっている。裾部４０の外径は傾斜状の肩部４１の外径よりも大きく、嵌着溝３７の一側面は他側面よりも大径に形成されて、パネル１３を肩部４１側から確実に当接可能となっている。肩部４１の外周には、パネル１３との摺動抵抗を軽減させるための断面鋸歯状の突条４２が複数形成されている。
【０００５】
シールリップ３８は裾部４０の後端から湾曲して鍔状に形成され、薄肉で前方向への可撓性を有している。防音膜３４はカップ部３２を通じて室外の音が室内に侵入するのを防止するためのものであり、カップ部３２内に環状の中空層４３を構成している。
【０００６】
筒状部３３の一方は防音膜３４の屈曲部に続き、筒状部３３の他方はカップ部３２の封止壁３６から前方に突出して、ワイヤハーネス２６をビニルテープで巻回固定する小径部４４に続いている。ワイヤハーネス２６はグロメット３１をパネル１３に装着する前にグロメット３１内に挿通される。
【０００７】
一般的にグロメット３１をパネル１３の孔部１４に嵌着させるには、パネル１３の後方から孔部１４に筒状部３３を通し、パネル１３の前側から筒状部３３を引っ張って（この際、ワイヤハーネス４４が挿通されているから、筒状部３３が潰れることはない）、カップ部３２の肩部４１をパネル１３の孔部１４に摺接させつつ、図３の如く嵌着溝３７を孔部１４の周縁に嵌合させる。シールリップ３８はパネル側の例えば防音材１５の表面に密着する。
【０００８】
【発明が解決しようとする課題】
しかしながら、パネル１３の後側にグロメット３１を仮置きするスペースがない場合や、部品組付上、パネル１３の前側からしかグロメット３１をパネル１３に組み付けることができない場合には、図４の如くグロメット３１を斜めにした状態で、カップ部３２の後端側からパネル１３の孔部１４に挿入し、パネル１３の前方にはみ出したカップ部３２の厚肉の裾部４０を手で潰しながらカップ部全体をパネル１３の後方に入れ、次いで筒状部３３を前方に引っ張ることで、孔部１４の周縁を嵌着溝３７に嵌合させる。
【０００９】
この作業において、上記従来のグロメット３１は、カップ部３２の剛性が高いために、カップ部３２を手で潰しながらパネル１３の孔部１４に挿入する作業や、孔部１４に嵌着溝３７を嵌合させる作業が大変であった。
【００１０】
また、図４の如く、グロメット３１を傾けてカップ部３２の一側方をパネル１３の孔部１４内に挿入した際に、孔部１４の周縁がカップ部３２の他側方の厚肉の裾部４０やシールリップ３８に干渉しやすく、カップ部３２やシールリップ３８が傷付きやすいという問題もあった。シールリップ３８が傷付いた場合は、防水性や遮音性が悪くなるという懸念があった。また、カップ部３２の後部を孔部１４に挿入した後、筒状部３３を引っ張ってカップ部３２の外周を孔部１４の周縁に摺接させた際に、カップ部３２の剛性が高いために、カップ部３２の外周が傷付きやすいという問題もあった。
【００１１】
本発明は、上記した点に鑑み、カップ部をパネルの孔部に挿入して嵌着させる作業を容易に、しかもカップ部やシールリップ部に傷を付けることなく確実に行うことができるグロメットを提供することを目的とする。
【００１２】
【課題を解決するための手段】
上記目的を達成するために、本発明は、ワイヤハーネスを挿通する筒状部と、該筒状部の外側に続き、パネルの孔部に嵌着する大径のカップ部とを備える弾性のグロメットにおいて、前記パネルの一方の面側に位置する厚肉の裾部に、グロメット軸方向に延びる溝部が形成されたことを特徴とする（請求項１）。前記溝部が断面Ｖ字状に形成されたことも有効である（請求項２）。
また、前記カップ部が、前記筒状部に交差して縮径方向の可撓性を有する前側の封止壁と、後側の前記裾部とを備え、該パネルの孔部に該カップ部を該裾部側から挿入する際に、前記溝部と該封止壁とによって該カップ部が縮径されることも有効である（請求項３）。
また、前記封止壁が断面略Ｓ字状に屈曲形成されたことも有効である（請求項４）。また、前記封止壁に続く前記カップ部の肩部の内周面側が湾曲状に肉抜きされたことも有効である（請求項５）。
【００１３】
【発明の実施の形態】
以下に本発明の実施の形態の具体例を図面を用いて詳細に説明する。
図１は、本発明に係るグロメットの一実施形態を示すものである。
【００１４】
このグロメット１は従来のグロメットに較べて三つの特徴を有している。先ず、第一にカップ部２の封止壁３が断面略Ｓ字状に屈曲して形成されている。第二に、封止壁３に続くカップ部２の肩部４の内周側が抉られて湾曲形状に肉抜き（５）されている。第三に、カップ部２の周壁６の後部側の厚肉の裾部７の後端面７ａ側に断面Ｖ字状の溝部８が環状に形成されている。
【００１５】
カップ部２の封止壁３は従来よりもやや薄肉に形成され、封止壁３の基部は筒状部９に対してやや前向きに傾斜して交差し、交差部１０から後方に小さく湾曲して続き、この小さな第一湾曲部（可撓部）１１は、前方に大きく湾曲した第二湾曲部（可撓部）１２に続き、両湾曲部１１，１２で断面略Ｓ字状の可撓性の封止壁３を構成し、第二湾曲部１２は肩部４に続いている。
【００１６】
交差部１０において筒状部９は内側に厚肉に形成され、この厚肉部２５によって剛性が付与されている。肩部４の外周側は略テーパ状に、正確にはやや湾曲して、パネル１３に対する嵌着溝１６に続いている。肩部４の外周には従来同様に、パネル１３の孔部１４の周縁との摺動抵抗を軽減させるための複数の突条１７が形成されている。カップ部２の肩部４の内周側は、従来例（図３）と比較すると明らかな如く、肉抜き部５によって大きく湾曲状に抉られており、それによって肩部４が薄肉化されている。断面略Ｓ字状の封止壁３の内面と肩部４の内面とは肉抜き部５によって滑らかに繋がっている。
【００１７】
断面略Ｓ字状の可撓性の封止壁３によってカップ部２の周壁６が径方向に縮み可能であり、肩部４の肉抜き部５によって、肩部４の柔軟性が増し、肩部４が潰れ方向に変形しやすくなる。肉抜き部５は、封止壁３の第二湾曲部１２の内面を大きく湾曲形成するためにも必要であり、肉抜き部５があることで、封止壁３の外径を大きくせずに、封止壁３を断面略Ｓ字状に湾曲形成することができる。断面略Ｓ字状の封止壁３と肩部４の肉抜き部５との共働作用でカップ部２の縮径動作が容易化する。
【００１８】
肉抜き部５はほぼ嵌着溝１６の内側位置まで続いている。嵌着溝１６は、肩部４の外周面に続く短い一側面１６ａと、一側面１６ａに対向する長い他側面１６ｂとを有し、他側面１６ｂは肩部４に対して段差をもって厚肉の裾部７の外周面７ｂに続いている。裾部７の外周面７ｂはややテーパ状に裾広がりに傾斜して後端側の鍔状のシールリップ１８の前面に続いている。シールリップ１８は従来同様に基部１８ａ側が後方に湾曲して突出し、先端１８ｂ側がパネル１３側の防音材１５に対してほぼ平行に位置する。
【００１９】
シールリップ１８の後面は裾部７の後端面７ａに続いている。裾部７の後端面７ａから嵌着溝１６に向けて裾部７の中間部まで断面Ｖ字状の溝部８が環状に形成されている。溝部８は対向する側面８ａを有している。裾部７は溝部８によって径方向に二分された形となっている。溝部８の底部８ｂはＶ字の底の如く狭くなっており、底部８ｂから溝部８の開口８ｃ側にかけてテーパ状に拡幅されている。溝部８の開口８ｃが裾部７の後端面７ａに位置している。
【００２０】
溝部８の深さは、裾部７の後端面７ａから嵌着溝１６の幅広の側面１６ｂまでの距離のほぼ半分程度である。裾部７の後端面７ａから嵌着溝１６の側面１６ｂまでの部分１９が撓み支点となり、裾部７が断面Ｖ字状の溝部８を潰す方向すなわち板厚方向（グロメット径方向）に縮径可能である。
【００２１】
本実施形態のグロメット１のその他の部分の構成については本発明の特徴部分ではないが一応説明する。
カップ部２の裾部７は内周面側においてグロメット軸方向に薄肉に延長されて、防音膜２０の屈曲部２１に対する保護壁２３となっている。防音膜２０はカップ部２内に反転した状態で収容され、反転部２２はテーパ状に厚肉に形成され、この剛性化により抜け出しが防止されている。これらの構成は別件で提案する。
【００２２】
防音膜２０の屈曲部２１は傾斜部２４を経てカップ部２内の筒状部９に続き、筒状部９はカップ部２から前方に突出延長されて、ワイヤハーネス２６を密着固定する小径部２７に続いている。カップ部２の嵌着溝１６はパネル１３の孔部１４の周縁に係合可能であり、シールリップ１８はパネル１３と一体の防音材１５の面に密着可能である。
【００２３】
上記グロメット１をパネル１３の孔部１４に装着する際には、図２に示す如く、カップ部２を径方向に大きく縮めて、カップ部２の後部側からパネル１３の孔部１４に挿入する。カップ部２は断面略Ｓ字状の湾曲部１１，１２（図１）と肉抜き部５との相乗効果で封止壁３から容易に潰れることができる。すなわち、第二湾曲部１２が前方に突出しているから、第二湾曲部１２の頂部を支点として第一湾曲部１１と肩部４とが縮径方向に移動しつつ相互に近接し、カップ部２の肩部４が小さな力で径方向に窄まってカップ部全体が小径化する。
【００２４】
これにより、孔部１４に対する摩擦力が低減してカップ部２の挿入性が高まり、挿入作業が容易化すると共に、孔部１４の周縁１４ａに対するカップ部２の擦れが小さくなり、カップ部２の外周の傷付きが防止される。。
【００２５】
また、カップ部２の後部側の厚肉の裾部７を径方向（内向き）に押圧することにより、断面Ｖ字状の溝部８が潰れて裾部７が小径化する。前述の如くカップ部全体が小径化した上に裾部７が縮径されるから、シールリップ１８を密着させた状態の裾部７の外径Ｄや、シールリップ１８から封止壁３の基部までの距離（高さ）Ｈが大きく狭められる。これによっても孔部１４へのカップ部２の後部側の挿入性が高まり、挿入作業が容易化すると共に、孔部１４の周縁１４ａに対するシールリップ１８の擦れが小さくなり、シールリップ１８の傷付きが防止される。
【００２６】
図２と従来例の図４との対比で明らかなように、カップ部全体が縮径し、且つ裾部７が縮径することで、図２の如くカップ部２の一側方を前方から孔部１４に挿入した時点で、カップ部２の他側方は孔部１４の周縁１４ａと同一位置にあり、相互の干渉が極めて小さくなる。これによってもシールリップ１８や裾部７の傷付きが防止される。
【００２７】
また、図１において裾部７の外周面７ｂをややテーパ状に形成したことで、図２の如くシールリップ１８を裾部７の外周面７ｂに密着させた際に、シールリップ１８の基部（付根）１８ａ側の湾曲が小さくなり、基部１８ａ側の突出量が小さくなる。これによっても、パネル１３の孔部１４の周縁１４ａに対してシールリップ１８が干渉しにくくなり、シールリップ１８の傷付きが防止される。
【００２８】
従来同様に、カップ部２の後部側からパネル１３の孔部１４に挿入した後、前側の筒状部９を持ってグロメット１を前方に引っ張ることで、嵌着溝１６がパネル１３の孔部１４に嵌合する。
【００２９】
なお、前記断面略Ｓ字状の封止壁３に代えて断面波型状や断面略Ｖ字状の封止壁（図示せず）を用いることも可能である。但し、断面略Ｓ字状の封止壁３を用いた場合には、他の実施形態の封止壁よりも復元性に優れ、且つ封止壁３の径方向の肥大化が防止される。復元力は第一湾曲部１１によっても発揮される。
【００３０】
また、前記断面Ｖ字状の溝部８に代えて断面Ｕ字状の溝部（図示せず）を用いることも可能である。但し、断面Ｖ字状の溝部８は断面Ｕ字状の溝部に較べて裾部７を相互に完全密着させることができ、裾部７をより縮径させやすい。
【００３１】
また、カップ部２の断面略Ｓ字状の封止壁３と肉抜き部５とを備えたグロメット（この場合、溝部８はない）をパネル１３の孔部１４に対して後方から前方に挿入する場合でも、カップ部２が縮径することで、挿入及び装着作業を容易且つ確実に行うことができる。また、防音膜２０のないグロメットにも本発明の特徴部分を適用することができる。
【００３２】
【発明の効果】
以上の如く、請求項１記載の発明によれば、厚肉の裾部を径方向に押圧することで、溝部が潰れ、裾部を小さな力で容易に縮径させることができるから、裾部側すなわち後端側からパネルの孔部に挿入する場合に挿入作業を容易且つ確実に行うことができる。
【００３３】
また、請求項２記載の発明によれば、裾部を径方向に押圧して溝部が潰れた際に、断面Ｖ字状の溝部の対向する両側面が隙間なく密着するから、裾部が確実に小径化され、前記挿入作業が一層容易化される。
【００３４】
また、請求項３記載の発明によれば、グロメットをパネルの孔部に挿入する際に、カップ部の厚肉の裾部を径方向に押圧することで、溝部が潰れ、裾部を小さな力で容易に縮径させることができ、且つカップ部を付根側の封止壁側から小さな力で容易に縮径させることができるから、カップ部を裾部側すなわち後端側からパネルの孔部に挿入する場合に挿入作業を容易且つ確実に行うことができる。
【００３５】
また、請求項４記載の発明によれば、断面略Ｓ字状の封止壁によって縮径時に撓みを確実に吸収でき、効率的に縮径できると共に、パネル挿入後の復元性に優れ、カップ部を確実にパネルの孔部に密着固定させることができる。
【００３６】
また、請求項５記載の発明によれば、肉抜きによって肩部の柔軟性が増し、パネルの孔部への挿入時に肩部が容易に撓んで挿入性が向上する。特に、可撓性の封止壁との相乗効果でカップ部の可撓性が増し、カップ部の縮径が効率良く且つ確実に行われるから、挿入作業性が一層向上する。
【図面の簡単な説明】
【図１】本発明に係るグロメットの一実施形態を示す自由状態における縦断面図である。
【図２】グロメットを後部側からパネルの孔部に挿入する状態を示す縦断面図である。
【図３】従来のグロメットを示す縦断面図である。
【図４】同じくグロメットを後部側からパネルの孔部に挿入する状態を示す縦断面図である。
【符号の説明】
１    グロメット
２    カップ部
３    封止壁
４    肩部
５    肉抜き部
７    裾部
８    溝部
９    筒状部
１３  パネル
１４  孔部
２６  ワイヤハーネス
【図１】
0003794607.tif 000002
【図２】
0003794607.tif 000003
【図３】
0003794607.tif 000004
【図４】
0003794607.tif 000005